(57)【特許請求の範囲】
【請求項１】
ドラム缶の巻締め部を把持する挟持部材をワイヤロープの両端に設け、その挟持部材をピボット軸によって結合された一対の挟持リンクと、その挟持リンクに結合される補助リンクとで４節リンクに構成し、その補助リンクの他端をワイヤロープに係止された吊り環の枢軸に連結するとともに、前記４節リンクを板状のリンク部材とし、係合部は一方の挟持リンクに設けられドラム缶の巻締め部の外側を支える支え腕と、他方の挟持リンクに設けられ前記巻締め部の内側を押圧する押し腕とで構成され、前記支え腕には端部内側に巻締め部の周方向へ向けて開くコ字形の切込みを設け、その中に板状の主爪をはめ込んで溶着してなるドラム缶吊り具。
【発明の詳細な説明】
【０００１】
【産業上の利用分野】
この発明はドラム缶を立てた状態で吊り上げるための道具に関する。
【０００２】
【従来の技術】
従来、ドラム缶を吊り上げるための道具は多数が提案されている。それには、ドラム缶を寝かせた状態で吊り上げるものと、立てた状態で吊り上げるものとがあるが、いずれにしてもドラム缶の軸方向両端に設けられる耳部、すなわち、円筒形の胴部と円板形の面板とを結合するため設けられた巻き締めした部分を利用して、ドラム缶の直径位置で巻締め部に爪を引っかけて吊り下げるようになっている（例えば、特開平６−１２７８９６号公報）。
また、巻き締め部へ爪を引っかけるに際して、直径位置でなく円周上の一点で吊り上げるべく、巻締めした内外を爪で挟持するようにしたものもある（例えば、特開平７−２２８４７０号公報）。
【０００３】
【発明が解決しようとする課題】
しかしながら、従来のドラム缶吊り具は、ドラム缶と同じくらいの大きさがあり、大型である上に構造的にも複雑で、製品化しようとすると高価なものとならざるを得なかった。
【０００４】
【課題を解決するための手段】
上記した課題は、ドラム缶の巻締め部を把持する挟持部材をワイヤロープの両端に設け、その挟持部材をピボット軸によって結合された一対の挟持リンクと、その挟持リンクに結合される補助リンクとで４節リンクに構成し、その補助リンクの他端をワイヤロープに係止された吊り環の枢軸に連結するとともに、前記４節リンクを板状のリンク部材とし、係合部は一方の挟持リンクに設けられドラム缶の巻締め部の外側を支える支え腕と、他方の挟持リンクに設けられ前記巻締め部の内側を押圧する押し腕とで構成され、前記支え腕には端部内側に巻締め部の周方向へ向けて開くコ字形の切込みを設け、その中に板状の主爪をはめ込んで溶着することによって解決される。
【０００６】
【作用】
挟持部材をなす挟持リンクをドラム缶の巻締め部に係合させた状態からワイヤロープを引き上げると、ワイヤロープの張力によって４節リンクの一部をなす一対の挟持リンクが作動し、挟持リンクをなす押し腕と支え腕とによってドラム缶の巻締め部を挟圧しつつ吊り上げる。
【０００７】
【発明の実施の態様】
以下、本願発明の実施の一形態を説明する。図１中、１０はこの発明に係るドラム缶吊り具である。ドラム缶吊り具１０はクレーンのフックｆやフォークリフトのフォークによって吊り上げられる鋼製のワイヤロープ１１と、その両端に結合された挟持部材２０、２０を有し、その挟持部材２０、２０によってドラム缶１５の巻締め部１６を挟んで持ち上げる。ワイヤロープ１１は両端部が折り返されてループ１１ａが作られており、そのループ１１ａの中に挟持部材２０の要素をなす吊り環２１を通して連結してある。
【０００８】
図２で示すように挟持部材２０は４枚の板状リンクを有するパンタグラフ形の４節リンクで構成されている。前記板状リンクはピボット軸２２によって結合された一対の挟持リンク２３、２４と、ピン２５、２５によってそれらに連結される補助リンク２６、２６からなっており、それら板状リンクと吊り環２１とは枢軸２７によって回動可能に連結されている。
【０００９】
前記挟持部材２０をなす挟持リンク２３、２４、および２枚の補助リンク２６、２６は短冊形をした板状のリンク部材で作られており、挟持リンク２３、２４にはピボット軸２２からピン２５と反対の方向へ突出させて設けた２本の腕からなる係合部が形成してある。それらの腕はドラム缶１５の巻締め部１６の外側を下側から支える支え腕２３ａと巻締め部１６の内側を押圧する押し腕２４ａとである。なお、ドラム缶１５の巻締め部１６は周知のように胴部１５ａと面板部１５ｂとをそれらの縁で外側へ巻いた上、内外から挟圧して鍔状に成形することで両者を水密に結着している。
【００１０】
支え腕２３ａには図３、図４で示すように、挟持リンク２３の内側へ向けて開くコ字形の切込みを設け、その切込みの中へ板状の主爪２３ｂをはめ込み、その主爪２３ｂを巻締め部１６の方向と、押し腕２４ａのある方向へ大きく張り出して周方向へ長く配置して溶接してある。よって、支え腕２３ａは板材で作られているにも拘らず、ドラム缶を安定に支えることができる。
【００１１】
次に、ドラム缶吊り具１０の使用方法を説明する。まず、ワイヤロープ１１の中央部をフォークリフトの爪やクレーンのフックに掛けてドラム缶吊り具１０を吊り上げ、地上に置かれたドラム缶１５の直上へ移動させる。そして、ドラム缶１５の巻締め部１６へ略直径方向の２箇所へ挟持部材２０を吊り下げ、その状態で挟持部材２０を開き、支え腕２３ａがドラム缶１５の外側、押し腕２４ａが内側になるようにして掛ける。掛け終わったら前記フォークリフトの爪やクレーンのフックを引き上げる。
【００１２】
それにより、吊り環２１とこれに支持された枢軸２７が上昇するが、挟持リンク２３は下端部をなす支え腕２３ａが巻締め部１６に引っかかっているので、押し腕２４ａが巻締め部１６の内面を押圧し、前記支え腕２３ａと巻締め部１６との係止が確実になり、ワイヤロープ１１が伸び切った処からドラム缶１５が吊り上げられる。
【００１３】
【発明の効果】
以上説明したように、この発明によれば、ドラム缶吊り具はワイヤロープとその両端に取り付けられた挟持部材とによって構成されるので、構造が簡単で吊り上げや不使用時の収納など取り扱いが容易である。また、挟持部材は要部が板材で作られており、軽量に作られているにも拘らず、吊り環を用いてワイヤロープと連結しているので、両者は強固に連結され高い剛性が得られる。さらに、挟持部材は板状のリンク部材として挟持リンクを用いており、ドラム缶の巻締め部と係合する支え腕の主爪も同様に板材で作られているにも拘らず、挟持部材の側面に設けられた切込みへはめ込んで溶着されているので、簡単な構成によって高い強度が得られる。
などの効果がある。
【図面の簡単な説明】
【図１】本願発明の一実施態様を示す外観図である。
【図２】その要部の拡大正面図である。
【図３】図２中のＩＩＩ−ＩＩＩ断面図である。
【図４】図３中の矢視ＩＶ図である。
【符号の説明】
１０・・・・ドラム缶吊り具
１１・・・・ワイヤロープ
１１ａ・・・ループ
１５・・・・ドラム缶
１５ａ・・・胴部
１５ｂ・・・面板部
１６・・・・巻締め部
２０・・・・挟持部材
２１・・・・吊り環
２２・・・・ピボット軸
２３、２４・・・・挟持リンク
２３ａ・・・支え腕
２３ｂ・・・主爪
２４ａ・・・押し腕
２５・・・・ピン
２６・・・・補助リンク
２７・・・・枢軸
【図１】
0003600793.tif 000002
【図２】
0003600793.tif 000003
【図３】
0003600793.tif 000004
【図４】
0003600793.tif 000005